【手続補正書】
【提出日】平成24年1月25日(2012.1.25)
【手続補正１】
【補正対象書類名】特許請求の範囲
【補正対象項目名】全文
【補正方法】変更
【補正の内容】
【特許請求の範囲】
【請求項１】
積載材料をラミネートして太陽電池パネルを製造する太陽電池のラミネート装置であって、
前記積載材料が載置される定盤と、
前記定盤と接離可能に対峙し、前記定盤と対向する面の周縁部から枠部が突出し、該枠部に囲まれた凹部を有する枠体と、
前記定盤と前記枠体との間の領域に配置される弾性を有するリリースシートと、
真空ポンプと、
前記リリースシートを搬送するリリースシート搬送手段と
を有し、
前記リリースシートが前記定盤と前記枠体の枠部とで挟み込まれて両者と密着する密着状態において、
前記枠体の凹部と前記リリースシートの一部とで囲まれた第１空間と、前記定盤と前記リリースシートの一部とで囲まれ密閉された第２空間が形成され、
前記真空ポンプが前記第２空間を真空引きすることにより前記第１空間と前記第２空間との間に圧力差が発生し、該圧力差により前記リリースシートが前記第２空間に配置された前記積載材料を加圧して該積載材料をラミネートし、
前記定盤が前記枠体及び前記リリースシートから離間した離間状態において、前記リリースシート搬送手段が、前記定盤と前記枠体との間の領域から使用後の前記リリースシートを搬出すると共に、該領域に新たな前記リリースシートを搬入するもの。
【請求項２】
前記ラミネート装置が、前記枠体と前記定盤との間の領域の外側両端に夫々配置され、前記リリースシートの両端が夫々巻き取られているリーリング及びアンリーリングを有し、
前記リリースシート搬送手段は、前記リーリングを駆動して、前記領域内のリリースシートを搬出して該リーリングに巻き取ると共に、前記アンリーリングからリリースシートを送り出して該領域内に搬入するモータを有する
ことを特徴とする請求項１に記載の太陽電池のラミネート装置。
【請求項３】
前記枠体と前記定盤との間の領域に配置されている前記リリースシートのテンションを調整するテンション調整手段をさらに有することを特徴とする請求項１又は２に記載の太陽電池のラミネート装置。
【請求項４】
前記テンション調整手段は、前記リーリングが駆動されているときに前記アンリーリングの回転速度を調整することによって前記リリースシートのテンションを調整することを特徴とする請求項２に従属する請求項３に記載の太陽電池のラミネート装置。
【請求項５】
前記第１空間を略１気圧に維持する気圧維持手段をさらに有する
ことを特徴とする請求項１から４のいずれかに記載の太陽電池のラミネート装置。
【請求項６】
前記定盤と前記リリースシートの間の領域に前記積載材料を搬入すると共に、該領域から前記太陽電池パネルを搬出するパネル搬送手段をさらに有することを特徴とする請求項１から５のいずれかに記載の太陽電池のラミネート装置。
【請求項７】
前記定盤と前記枠体のいずれか一方を他方に対して対向方向に往復移動させる駆動手段をさらに有することを特徴とする請求項１から６のいずれかに記載のラミネート装置。
【請求項８】
積載材料をラミネートして太陽電池パネルを製造する太陽電池のラミネート方法であって、
定盤上に積載材料を搬入すると共に、前記定盤と該定盤と対峙する枠体との間の領域に新たなリリースシートを搬入する第１の工程と、
前記枠体と前記定盤のいずれか一方を他方に向けて移動させ、該枠体と該定盤とで前記リリースシートを挟み込んで密着させることで、前記リリースシートの一部と前記枠体の凹部とで囲まれた第１空間と、該リリースシートの一部と該定盤とで囲まれて密閉された第２空間を形成する第２の工程と、
前記第２空間を真空引きすることにより、前記第１空間と前記第２空間の間に圧力差を発生させて、該圧力差により前記リリースシートが前記第２空間に配置された前記積載材料を加圧して該積載材料をラミネートする第３の工程と、
前記枠体と前記定盤のいずれか一方を他方から離す方向に移動させて、ラミネート後の前記太陽電池パネルから前記リリースシートを離す第４の工程と、
前記枠体と前記定盤との間の領域からラミネートに使用された前記リリースシートを搬出すると共に、ラミネートされた太陽電池パネルを搬出する第５の工程と
を有するもの。
【請求項９】
前記第１の工程は、前記リリースシートを搬入するに際し、前記リリースシートを前記領域の一端側から該領域内に送り出すと共に他端側から該領域外へ引き出す工程と、前記リリースシートの送り出し速度を調整することにより、該リリースシートに所望のテンションを与える工程を含むことを特徴とする請求項８に記載のラミネート方法。
【請求項１０】
前記第３の工程が、真空引き中に前記第１空間の気圧を所望の気圧に保持する工程を含むことを特徴とする請求項８又は９に記載のラミネート方法。
【請求項１１】
前記第１から前記第３の工程中、前記枠体または前記定盤の少なくとも一方を加熱する工程を有することを特徴とする請求項８から１０のいずれかに記載のラミネート方法。
【手続補正２】
【補正対象書類名】明細書
【補正対象項目名】０００８
【補正方法】変更
【補正の内容】
【０００８】
上記の目的を達成するため、本発明の太陽電池のラミネート装置は、定盤と接離可能に対峙し、前記定盤と対向する面の周縁部から枠部が突出し、該枠部に囲まれた凹部を有する枠体と、定盤と枠体との間に配置される弾性を有するリリースシートと、真空ポンプと、リリースシートを搬送するリリースシート搬送手段とを有し、リリースシートが定盤と枠体の枠部とで挟み込まれて両者と密着する密着状態において、枠体の凹部とリリースシートの一部とで囲まれた第１空間と、定盤とリリースシートの一部とで囲まれ密閉された第２空間が形成され、真空ポンプが第２空間を真空引きすることにより第１空間と第２空間との間に圧力差が発生し、該圧力差によりリリースシートが第２空間に配置された積載材料を加圧して該積載材料をラミネートし、定盤が枠体及びリリースシートから離間した離間状態において、リリースシート搬送手段が、定盤と枠体との間の領域から使用後のリリースシートを搬出すると共に、該領域に新たなリリースシートを搬入する。
【手続補正３】
【補正対象書類名】明細書
【補正対象項目名】０００９
【補正方法】変更
【補正の内容】
【０００９】
また、ラミネート装置が、枠体と定盤との間の領域の外側に夫々配置されリリースシートの両端が夫々巻き取られているリーリング及びアンリーリングを有し、リリースシート搬送手段がリーリングを駆動して領域内のリリースシートを搬出してリーリングに巻き取ると共にアンリーリングからリリースシートを送り出して領域内に搬入するモータを有する構成とすることが好ましい。
【手続補正４】
【補正対象書類名】明細書
【補正対象項目名】００１２
【補正方法】変更
【補正の内容】
【００１２】
また、ラミネート装置は、第１の空間を略１気圧に維持する気圧維持手段をさらに有する構成とすることが好ましい。また、ラミネート装置は、定盤と枠体のいずれか一方を他方に対して対向方向に往復移動させる駆動手段をさらに有する構成としてもよい。
【手続補正５】
【補正対象書類名】明細書
【補正対象項目名】００１４
【補正方法】変更
【補正の内容】
【００１４】
また、本発明の太陽電池のラミネート方法は、定盤上に積載材料を搬入すると共に定盤と該定盤と対峙する枠体との間の領域に新たなリリースシートを搬入する第１の工程と、枠体と定盤のいずれか一方を他方に向けて移動させ枠体と定盤とでリリースシートを挟み込んで密着させることで、リリースシートの一部と枠体の凹部とで囲まれた第１空間と、リリースシートの一部と定盤と囲まれて密閉された第２空間を形成する第２の工程と、第２空間を真空引きすることにより、第１空間と第２空間の間に圧力差を発生させて、該圧力差によりリリースシートが第２空間に配置された積載材料を加圧して該積載材料をラミネートする第３の工程と、枠体と定盤のいずれか一方を他方から離す方向に移動させてラミネート後の太陽電池パネルからリリースシートを離す第４の工程と、枠体と定盤との間の領域からラミネートに使用されたリリースシートを搬出すると共にラミネートされた太陽電池パネルを搬出する第５の工程とを有する。
【手続補正６】
【補正対象書類名】明細書
【補正対象項目名】００１５
【補正方法】変更
【補正の内容】
【００１５】
また、第１の工程は、リリースシートを搬入するに際し、リリースシートを領域の一端側から領域内に送り出すと共に他端側から領域外に引き出す工程と、リリースシートの送り出し速度を調整することによりリリースシートに所望のテンションを与える工程を含む構成とすることが好ましい。
【手続補正７】
【補正対象書類名】明細書
【補正対象項目名】００１６
【補正方法】変更
【補正の内容】
【００１６】
また、第３の工程が、真空引き中に第１空間の気圧を所望の気圧に保持する工程を含む構成とすることが好ましい。
【手続補正８】
【補正対象書類名】明細書
【補正対象項目名】００１７
【補正方法】変更
【補正の内容】
【００１７】
好ましくは、第１から第３の工程中、枠体または定盤の少なくとも一方を加熱する工程を有する。